(57)【特許請求の範囲】
【請求項１】
機体（３）の後部に苗植付装置（６）と管理作業用の作業装置（Ｓ）とを脱着交換可能に構成した水田用管理作業機において、
機体の前部に搭載したエンジン（４）のマフラー（９）の排気口（９ａ）に、その排気口（９ａ）に対して隙間を設けた状態で排気管（８）を外囲させて設けると共に、前記苗植付装置（６）を前記機体（３）に装着した状態での機体進行方向に沿う植付条間の中間位置に相当させて前記排気管（８）を機体（３）の前方側下方において前方に延出すると共に機体（３）の前端箇所より上方に向けて立設配置し、機体（３）の前方側下方において前方に延出した排気管（８）部分に対してこれを覆い且つ苗を振り分ける苗分離カバー（１３）を設けてある水田用管理作業機。
【請求項２】
前記機体（３）に装着する管理作業用の作業装置（Ｓ）を、前記機体（３）に対して前後軸芯（Ｘ）周りで揺動自在に支持してある請求項１記載の水田用管理作業機。
【請求項３】
前記管理作業用の作業装置（Ｓ）を、防除機（１４）と溝切り器（２７）とを一体に連設して構成してある請求項２記載の水田用管理作業機。
【請求項４】
管理作業時に圃場の稲苗に対して起立用の吹き上げ風を送風する送風装置（Ｈ）を設けてある請求項１乃至３のうちいずれか一つに記載の水田用管理作業機。
【発明の詳細な説明】
【０００１】
【発明の属する技術分野】
本発明は、機体の後部に苗植付装置と管理作業用の作業装置とを脱着交換可能に構成した水田用管理作業機に関する。
【０００２】
【従来の技術】
従来より、苗植付された圃場に対して例えば防除作業等の管理作業を行うための専用の作業機を、水田用管理作業機として使用していた。
【０００３】
【発明が解決しようとする課題】
しかしながら、上記従来の水田用管理作業機にあっては、特に管理作業をするに際して、圃場に植え付けられた苗等に対して不具合を与える虞れがあるものであった。具体的には、エンジンの排気管が対地的に低い位置に水平に沿う状態で設けられていたため、管理作業中にその排気管が苗に接触する虞れがあって、接触した排気管の熱のため苗にダメージを与える虞れがあるとともに、また、耕盤の凹凸により機体が幾分傾くようなことがあると、機体に装備した例えば防除機等の管理用作業装置が植付苗に干渉してその苗を倒す等の虞れがあった。
【０００４】
本発明は、上記実情に鑑みてなされたものであって、管理作業中に圃場の植付苗に対して排気管や作業機等が干渉すること等の不具合を与えるのを抑制できる水田用管理作業機の提供を目的とする。
【０００５】
【課題を解決するための手段】
（構成）  本発明の請求項１にかかる水田用管理作業機は、機体の後部に苗植付装置と管理作業用の作業装置とを脱着交換可能に構成した水田用管理作業機において、機体の前部に搭載したエンジンのマフラーの排気口に、その排気口に対して隙間を設けた状態で排気管を外囲させて設けると共に、前記苗植付装置を前記機体に装着した状態での機体進行方向に沿う植付条間の中間位置に相当させて前記排気管を機体の前方側下方において前方に延出すると共に機体の前端箇所より上方に向けて立設配置し、機体の前方側下方において前方に延出した排気管部分に対してこれを覆い且つ苗を振り分ける苗分離カバーを設けてあることを特徴構成とする。
【０００６】
（作用）  本発明の請求項１にかかる構成によれば、機体の前部に搭載したエンジンのマフラーの排気口に、その排気口に対して隙間を設けた状態で排気管を外囲させて設けたことにより、排気口から排気管へ流動する排気による負圧により前記隙間を通して排気管内に導入された空気と排気ガスとが混合、そして希釈されるようにしているものであって、混合される空気により排気温度の低下を図っている。
排気管は、機体進行方向視で所定の植付条の隣合うもの同士の中間位置に配置した状態で機体の前方側下方において前方に延出すると共にかつその先端が機体の前端箇所より上方に向けて圃場より離れる立ち姿勢に構成してあることで、管理作業中、排気管が植付苗から離間して位置する状態で機体を進行させることになり、管理作業中に植付苗に対して排気管が極力干渉しないようになっている。
そして、例え苗が排気管に接触する高さ以上に生長した状態で前記管理作業を行なう場合であっても、前記のように排気ガスを空気と混合希釈させて排気温度を低下させた排気管を更に覆う苗分離カバーにより、排気管に苗を直接接触させないで、分草具のように左右に苗を振り分けながら作業を行なうことができる。
【０００７】
（効果）  従って、本発明の請求項１にかかる構成によれば、排気温度の低下と相まって排気管による熱的なダメージを植付苗に与えないよう回避できるものとなり、植付苗に不具合を与えないようにできるに至った。
【０００８】
（構成）  本発明の請求項２にかかる水田用管理作業機は、請求項１に記載のものにおいて、前記機体に装着する管理作業用の作業装置を、前記機体に対して前後軸芯周りで揺動自在に支持してあることを特徴構成とする。
【０００９】
（作用）  本発明の請求項２にかかる構成によれば、管理作業用の作業装置は、前後軸芯周りで揺動自在であることから、作業時において、作業装置が左右にバランスを取れるようにすることで、所定の水平姿勢を作業装置が維持できるものとなる。
【００１０】
（効果）  従って、本発明の請求項２にかかる構成によれば、機体が走行に伴い左右に多少傾いても、作業装置はその機体の傾き分を修正して所定の水平姿勢となるように前後軸芯周りで自在に揺動するから、作業装置が傾くことによる圃場の植付苗との干渉も迅速に解消できるものとなり、その苗との干渉による苗倒れを抑制でき、良好に苗姿勢を保つことができるに至った。
【００１１】
（構成）  本発明の請求項３にかかる水田用管理作業機は、請求項２記載のものにおいて、前記管理作業用の作業装置を、防除機と溝切り器とを一体に連設して構成してあることを特徴構成とする。
【００１２】
（作用）  本発明の請求項３にかかる構成によれば、防除機と溝切り器とを一体に連設した作業装置を機体に装着した状態で作業することができるとともに、その作業時において、溝切り器が地面に接触しているので、溝切り器によって防除機の姿勢を対地的に所定状態、例えば地面とほぼ平行な姿勢状態等に保つことができるものとなっている。そのため、防除機の薬剤散布用のノズル等が圃場の植付苗に接触しないよう、防除機の姿勢が規制されることになる。
【００１３】
（効果）  従って、本発明の請求項３にかかる構成によれば、防除機が左右に傾くことを、溝切り器が地面に接触することによって規制するから、圃場の植付苗に防除機が干渉することも確実性高く抑制でき、苗姿勢が良好に保たれるに至った。
【００１４】
（構成）  本発明の請求項４にかかる水田用管理作業機は、請求項１乃至３のうちいずれか一つに記載のものにおいて、管理作業時に圃場の稲苗に対して起立用の吹き上げ風を送風する送風装置を設けてある管理作業時に圃場の稲苗に対して起立用の吹き上げ風を送風する送風装置を設けてあることを特徴構成とする。
【００１５】
（作用）  本発明の請求項４にかかる構成によれば、送風装置によって圃場の稲苗に対して起立用の吹き上げ風を送風するようにしているから、例え作業装置等との干渉により稲苗が倒れる虞れがある場合でも、その送風で起立姿勢を維持させることができる。
【００１６】
（効果）  従って、本発明の請求項４にかかる構成によれば、送風装置によって、圃場の稲苗の倒伏を解消できるようにしているから、管理作業に伴う稲苗の倒伏を抑制した状態で良好にその管理作業を行える利点がある。
【００１７】
【発明の実施の形態】
以下、本発明の実施の形態を図面に基づいて説明する。
図１に、水田用管理作業機の一例を示している。この水田用管理作業機は、乗用型田植機の機体本体を利用したものであって、左右一対の前車輪１，１と後車輪２，２とに支持された機体３に、エンジン４、搭乗運転部５等を搭載装備するとともに、苗植付装置６や後述の防除機１４等の作業装置を着脱自在に取りつけるためのヒッチ構造を成す装着手段７を機体後部に備えて構成している。
【００１８】
図１及び図３に示すように、前記装着手段７に６条植え用の苗植付装置６を装着した状態での苗植付条間に、詳しくは進行方向右から２番目と３番目の条列の間に、エンジン４からの排気管８が前方に延出される状態で配設されている。すなわち、この排気管８は、エンジン４のアウトレットパイプに接続されたマフラー９に対して排気できるように接続したものであって、図２に示すように、マフラー９の排気口９ａに、その排気口９ａに対して１ないし３ミリメートルの隙間を設けた状態で、排気管８を外囲させて設けている。これにより排気口９ａから排気管８へ流動する排気による負圧により前記隙間を通して排気管８内に導入された空気と排気ガスとが混合、そして希釈されるようにしているものであって、混合される空気により排気温度の低下を図っている。
【００１９】
そして、この排気管８を機体３の前方に延出し、機体３の左右での中央位置より３００ミリメートル右方向にずれた箇所でこの排気管８を機体３の前端箇所より上方に立ち上げ、その立ち上げた状態の排気管８を防熱カバー体１０で外囲している。すなわち、図２に示すように、エンジン４側から延出された排気管８の曲げ形成した立ち上げ部８ａに、別の排気管部材１１を外嵌し、セットボルト１２でこの排気管部材１１を排気管８の立ち上げ部８ａに固定するようにしており、この排気管部材１１に前記防熱カバー体１０を外囲している。そして、排気管部材１１の下端部には、網体で構成された苗分離カバー１３を一体に連設している。この苗分離カバー１３は、排気管部材１１と排気管８の端部の放熱性を高めるようにしているとともに、機体の走行時に圃場の苗が排気管８に接触する虞れがある場合でも排気管８よりも先に苗分離カバー１３が接触して、分草具のように左右に苗を振り分けるので、比較的高温の排気管８に苗が直接接触しないようにしている。尚、排気管部材１１は、セットボルト１２で固定していない状態では、排気管８に対して回動自在に外嵌されるものであり、その回動により上端部に設けた排気口１１ａの排気向きを前後左右方向で変更できるものとなっている。
【００２０】
上記構成により、管理作業中においては、排気管８に対して植付苗が干渉や接触する虞れが小さいものとなるに至った。
【００２１】
そして、管理作業の一例としての防除作業を行うために、苗植付装置６に代えて、機体３の前記取付部７には、図４乃至図７に示すように、防除機１４を装着できるようにしている。この防除機１４は、取付部７に取り付けるフレーム１４Ｆに例えば雑草防除用の薬剤を貯留する薬剤タンク１４Ａを搭載するとともに、薬剤散布用ポンプ１４Ｂを備え、このポンプ１４Ｂで繰り出される薬剤をホース１４Ｃに供給し、ホース１４Ｃに連設した複数のノズル１４Ｄを、散布用支持フレーム１４Ｅに装着して構成している。また、該散布用支持フレーム１４Ｅより少し低い位置より空気を機体後方に向けて吹き出すエア吹き出し用ノズル１５を備えたパイプ１６を設けるとともに、このパイプ１６に空気を送るエアポンプ１７を前記散布用支持フレーム１４Ｅに設置している。薬剤散布時にエアポンプ１７も作動させてエア吹き出し用ノズル１５から機体後方に向けて空気を吹き出すことにより、例え薬剤散布により圃場の苗が前倒れになる虞れがある場合でも苗の前倒れを抑制するものである。ここで、エア吹き出し用ノズル１５、パイプ１６、エアポンプ１７は送風装置Ｈを構成している。
【００２２】
図４乃至図７に示すように、上下一対に構成された前記フレーム１４Ｆに上下方向に沿う状態で架設された左右一対のガイドフレーム１８，１８を設けている。そして、これらガイドフレーム１８，１８に係合されるローラ１９，１９を横長の補助フレーム２０に軸支している。この補助フレーム２０の左右方向での中心部に前記散布用支持フレーム１４Ｅを前後方向に沿った軸芯Ｘ周りで揺動自在に軸支している。尚、軸芯Ｘ周りで左右にバランスをとって散布用支持フレーム１４Ｅが常時一定の水平姿勢に維持されるよう前記軸芯Ｘを散布用支持フレーム１４Ｅの重心の直上方に位置するように設定しているとともに、散布用支持フレーム１４Ｅの左右バランスの安定化を高めるためのバランスウエイト２１を散布用支持フレーム１４Ｅに設けている。さらに、散布用支持フレーム１４Ｅを上下方向で位置変更できるようにするために、前記フレーム１４Ｆのうち上側のフレームに設けた固定プーリ２２に、一端を補助フレーム２０に固定したワイヤ２４を、一回半程度巻き掛けた状態で設け、このワイヤ２４の他端がわを、補助フレーム２０に設けた巻き取りドラム２３に巻き付けられるようにしている。そして、巻き取りドラム２３を人為的にワイヤ２４の巻き取り或いは巻き取り解除をするように回転させるハンドル２５を設けている。さらに、補助フレーム２０を適宜上下位置で固定できるように、この補助フレーム２０をロックピン２６，２６で前記ガイドフレーム１８，１８に固定するための貫通孔Ａ‥をガイドフレーム１８，１８に複数個上下に間隔をおいて設けている。
【００２３】
そして、図４及び図５に示すように、防除機１４における薬剤散布用ノズル１４Ｄを支持する左右に長い散布用支持フレーム１４Ｅに左右一対の溝切り器２７，２７を下方に延出する状態で固定設置している。この溝切り器２７，２７は、圃場を中干しするために、湛水された水を圃場から排水するための水路溝を圃場に形成するものであって、左右一対設けられることで、散布用支持フレーム１４Ｅを圃場に対して一定に維持する機能も有する。ここで、防除器１４と溝切り器２７，２７とは管理作業用の作業装置Ｓを構成するものである。尚、溝切り器２７，２７の上下方向での長さを変更できるようにしても良い。
【００２４】
上記構成により、防除作業時の薬剤散布高さを変更する場合には、ロックピン２６，２６を貫通孔Ａ‥から抜き出した固定解除状態にして、ハンドル２５を適宜操作することでワイヤ２４の巻き取り具合を変更すれば所望の高さに散布用支持フレーム１４Ｅを適宜調節でき、その状態でロックピン２６，２６で補助フレーム２０をガイドフレーム１８，１８に固定する。又、軸芯Ｘ周りで左右にバランスをとって散布用支持フレーム１４Ｅが常時一定の水平姿勢に維持され得るとともに、溝切り器２７，２７によって左右の傾きを規制するものとなっているので、例え散布用支持フレーム１４Ｅが一時的に左右に傾くことがあっても迅速に水平姿勢に復帰するとともに、所定姿勢に維持できるものとなっている。
【００２５】
〔別の実施の形態〕
(1)  溝切り器を連結していない防除機でも良い。
(2)  作業装置としては防除機や溝切り器の他に各種の管理作業用の作業装置を適用できる。
【図面の簡単な説明】
【図１】苗植付装置を装着した水田用管理作業機を示す全体側面図
【図２】水田用管理作業機の前部を示す一部破断側面図
【図３】圃場を走行中の水田用管理作業機を示す正面図
【図４】防除機を装着した水田用管理作業機の後部を示す側面図
【図５】防除機を装着した水田用管理作業機を示す背面図
【図６】薬剤散布用の支持フレームを昇降する機構を示す一部破断側面図
【図７】薬剤散布用の支持フレームを昇降する機構を示す横断平面図
【符号の説明】
３    機体
６    苗植付装置
８    排気管
１４  防除機
２７  溝切り器
Ｈ    送風装置
Ｓ    作業装置
Ｘ    前後軸芯
【図１】
0003542097.tif 000002
【図２】
0003542097.tif 000003
【図３】
0003542097.tif 000004
【図４】
0003542097.tif 000005
【図５】
0003542097.tif 000006
【図６】
0003542097.tif 000007
【図７】
0003542097.tif 000008